(57)【要約】【課題】非接触型ＩＣカードに記録したデータの改ざんを防止するとともに、非接触型ＩＣカードを安定した状態で配送する封書を提供する。【解決手段】非接触型ＩＣカード配送用封書２１は、電磁シールド材からなる電磁シールドシート５を封筒上紙３、封筒下紙４として重ね合わせ、重ね合わせた封筒上紙３と封筒下紙４の三辺を閉塞し、一辺を開口してなるもので、重ね合わせた電磁シールドシート５である封筒下紙４に、非接触型ＩＣカード１０を切り用ミシン目９で切り取り可能に区画形成し、開口辺に設けた封緘部１５に封緘用の接着剤１４を塗布して封緘するものである。【選択図】      図４
2004352342.tif 000002
【特許請求の範囲】
【請求項１】
電磁シールド材からなる電磁シールドシートまたは基材面に電磁シールド材層を形成してなる電磁シールドシートを重ね合わせ、三辺を閉塞し、一辺を開口してなる封書であって、前記重ね合わせた電磁シールドシートの少なくとも一方に、非接触型ＩＣカードを切り取り可能に区画形成してなることを特徴とする非接触型ＩＣカード配送用封書。
【発明の詳細な説明】
【０００１】
【発明の属する技術分野】
本発明は、非接触型ＩＣカードを郵便や宅配便で配送する際に、他の文書も封入して配送するための封書に関する。
【０００２】
【従来の技術】
従来から、電磁シールド部材を用いた非接触型ＩＣカードを配送するための収納体は知られている（例えば、特許文献１，２参照）。
【０００３】
【特許文献１】
特開平１１−４５３１６号公報
【特許文献２】
特開平１１−３４８４７１号公報
【０００４】
【発明が解決しようとする課題】
ところが、従来の収納体は、ケース状や冊子状に構成されているので、非接触型ＩＣカードを郵便や宅配便を利用して送付する際には、別途荷造りしなければならないため、この荷造り作業が煩雑であり、また、配送作業中に非接触型ＩＣカードがケース内や冊子内で動いてしまうため、安定した状態で配送できないという不都合がある。本発明はこのような従来の不都合を解消した非接触型ＩＣカードを配送するための封書を提供することを目的とする。
【０００５】
【課題を解決するための手段】
上述した目的を達成するために、本発明の請求項１に記載した非接触型ＩＣカード配送用封書は、電磁シールド材からなる電磁シールドシートまたは基材面に電磁シールド材層を形成してなる電磁シールドシートを封筒上紙、封筒下紙として重ね合わせ、重ね合わせた封筒上紙と封筒下紙の三辺を閉塞し、一辺を開口してなる封書であって、前記重ね合わせた電磁シールドシートである封筒上紙または封筒下紙の少なくとも一方に、非接触型ＩＣカードを切り取り可能に区画形成してなるものである。
【０００６】
このように、電磁シールドシートである封筒上紙と封筒下紙を重ね合わせて三辺を閉塞してなる封書の、前記封筒上紙または前記封筒下紙の少なくとも一方に、非接触型ＩＣカードを切り取り可能に区画形成したので、前記非接触型ＩＣカードが配送中に動くことがなく、また非接触型ＩＣカードの切り取りも容易である。
【０００７】
【発明の実施形態】
以下、本発明の好適な実施形態について、添付図面に基づき詳細に説明する。ここにおいて、図１は封書となる前の封書用紙における表出面側を示す概略的な平面図、図２はそのＡ−Ａ線断面図、図３は作成した封書を示すＡ−Ａ線位置における概略的な断面図、図４は文書を封入した封緘状態の封書を示すＡ−Ａ線と垂直な位置における概略的な断面図、図５は切り取った非接触型ＩＣカードの概略的な平面図である。
【０００８】
まず、封書とするための封書用紙について説明する。図１及び図２に示すように、封書２１（図３、図４参照）を作成するための封書用紙１は、重ね合わせ面側から凹状に刻まれた折り線２を境として、宛名人表示片である封筒上紙３とカード形成片兼差出人表示片である封筒下紙４を連接してなる、電磁シールドシートたる金属箔シート５を備えている。
【０００９】
この金属箔シート５は、アルミニウム、銅、鉄などの金属、パーマロイ等の合金、フェライト等をシート状に形成したり、前記金属等をポリエチレンフィルム、ポリエチレンテレフタレートフィルムなどの基材に蒸着、スパッタリング、貼着等して形成することができる。また、金属箔シート５に換えて、繊維状プラスチックに金属繊維を混合したものをシート状に圧縮して形成した電磁シールドシートを使用することもできる。
【００１０】
図では明らかでないが、図２に一部示すように、金属箔シート５の重ね合わせ面には、開口辺となる図１における上端辺を除く三周辺に沿って、通常では接着せず所定の圧を加えると接着可能となる感圧性接着剤６を塗布している。この感圧性接着剤６としては、従来用いられている通常の感圧性接着剤を使用することができる。なお、前記上端辺に沿った重ね合わせ面部分が封緘用の接着剤１４を塗布する封緘部１５を構成する（図４参照）。
【００１１】
図１に示すように、封筒上紙３の表出面側には宛名人情報７をあらかじめ印字し、封筒下紙４の表出面側には差出人情報８をあらかじめ印字している。なお、金属箔シート５が印字適性に劣る場合には、宛名人情報７あるいは差出人情報８を別途ラベルに印字し、このラベルを前記金属箔シート５に貼着すればよい。
【００１２】
図１及び図２で理解できるように、封筒下紙４には切り用ミシン目９で区画形成した非接触型ＩＣカード１０を設け、この非接触型ＩＣカード１０のＩＣチップ（図示せず）やアンテナ線（図示せず）の実装面である重ね合わせ面には、保護フィルム１１を貼着して前記ＩＣチップや前記アンテナ線の保護をより確実なものとしている。前記切り用ミシン目９は前記保護フィルム１１にも及んでいる。また、前記非接触型ＩＣカード１０の前記保護フィルム１１面側には、カード名１２（図５参照）が表示されている。
【００１３】
上述の封書用紙１を折り線２で折り重ねたうえ、前記非接触型ＩＣカード１０の形状に対応する凹部を設けた加圧ロール（図示せず）で、前記非接触型ＩＣカード１０に凹部が対応位置するよう前記加圧ロールを回転制御して、感圧性接着剤６の接着条件である所定の圧を加えると、重ね合わせ面の開口辺と折り部辺を除く二辺が前記感圧性接着剤６によって接着された状態となり、図３に示す封書２１となる。そして、前記加圧ロールには前記非接触型ＩＣカード１０の形状に対応する凹部を設け、この凹部が前記非接触型ＩＣカード１０に対応位置するよう前記加圧ロールを回転制御するので、前記非接触型ＩＣカード１０には圧力はかからず、破損することはない。
【００１４】
この封書２１は、金属箔シート５によって非接触型ＩＣカード１０のＩＣチップやアンテナ線への電磁波の影響を遮断できるので、前記非接触型ＩＣカード１０に記録したデータの改ざんを防止できる。そして、図４に示すように、一般の封書と同様に、カードに関する案内文（図示せず）などを表示した文書１３を挿入し、封緘部１５に一般的な接着剤１４を塗布して開口辺を封緘し、投函可能である。前記非接触型ＩＣカード１０は、封筒下紙４の一部をなすものであるから、郵送中に動くことがなく、安定した状態で郵送される。
【００１５】
この封書２１を受領した宛名人情報７として表示された宛名人は、一般の封書と同様に開封して文書１３を取り出し、文書１３に表示された案内文にしたがって、切り用ミシン目９を破断し、非接触型ＩＣカード１０を金属箔シート５から切り取って、図５状態として使用することができる。
【００１６】
なお、本発明は上述した実施形態に限定されるものではなく、例えば、封書２１は二つ折りではなく、封書用紙１を三つ折りして構成してもよく、この場合には、三片のうち少なくとも一片に非接触型ＩＣカード１０を切り用ミシン目９で区画形成すればよい。また、封書２１の開口辺を二つ折り部分と平行な辺にすれば、折り部分及び開口辺と垂直に位置する互いに平行な一対の辺を閉塞して封書２１を形成できるので、これら閉塞する一対の辺に対応位置するように、一対の圧着コロを設けることで、感圧性接着剤６にその接着条件である圧を付与することができ、上述の凹部を設けた加圧ロールよりも簡便な構成の加圧手段を採用できる。さらに、本発明は郵送する封書２１に限らず、宅配便で配送する際に使用される収納体としての封書にも適用可能である。
【００１７】
【発明の効果】
以上説明したところで明らかなように、本発明に係る封書によれば、非接触型ＩＣカードに記録したデータの改ざんを防止できるとともに、非接触型ＩＣカードを、安定した状態で配送することができるほか、封書内に文書などの適宜な物を封入して、一緒に配送できるという効果を奏する。
【図面の簡単な説明】
【図１】封書となる前の封書用紙における表出面側を示す概略的な平面図。
【図２】図１のＡ−Ａ線断面図。
【図３】作成した封書を示すＡ−Ａ線位置における概略的な断面図。
【図４】文書を封入した封緘状態の封書を示すＡ−Ａ線と垂直な位置における概略的な断面図。
【図５】切り取った非接触型ＩＣカードの概略的な平面図。
【符号の説明】
１      封書用紙
２      折り線
３      封筒上紙
４      封筒下紙
５      金属箔シート
６      感圧性接着剤
７      宛名人情報
８      差出人情報
９      切り用ミシン目
１０      非接触型ＩＣカード
１１      保護フィルム
１４      接着剤
２１      封書
【図１】
2004352342.tif 000003
【図２】
2004352342.tif 000004
【図３】
2004352342.tif 000005
【図４】
2004352342.tif 000006
【図５】
2004352342.tif 000007